(57)【要約】【課題】構造を簡素化して製造コストを抑制しつつ、床面へ伝達される振動や衝撃を低減できる防振台を提供すること。【解決手段】所定の剛性を有する剛板４１の下面側が、一方側から他方側へ向けて先細りとなる膜状の膨出部４５に支持されている。よって、演奏時において想定される最大荷重に対して適正に圧縮される程度に硬度の高いゴム状弾性体から膨出部４５を構成した場合であっても、膨出部４５の他方側を容易に弾性変形させることができる。さらに、膨出部４５に付与される荷重が大きくなるにつれて、膨出部４５を弾性変形させるためには大きな荷重が必要となるので、膨出部４５が過剰に圧縮されることを回避できる。本体部４２の構造を簡素化して製造コストを抑制しつつ、振動や衝撃が床面Ｆへ伝達されることを膨出部４５によって低減させることができる。【選択図】図７
2015087632.tif 000002
【特許請求の範囲】
【請求項１】
楽器の演奏に伴って振動する振動体と床面との間に介設することによって、前記振動体に発生する振動や衝撃が前記床面へ伝達されることを抑制する防振台において、
所定の剛性を有する板状の部材から構成される剛板と、
その剛板を支持すると共に前記剛板よりも弾性が高い弾性材料から構成される本体部とを備え、
前記本体部は、ゴム状弾性体から構成されると共に一方側から他方側へ向けて先細状に膨出形成される膜状の膨出部を備え、その膨出部の一方側または他方側に前記剛板の下面側が支持されていることを特徴とする防振台。
【請求項２】
前記本体部は、前記膨出部の一方側と他方側とを結ぶ方向に沿って延設される筒状の筒状部を備え、その筒状部の内周側に前記剛板の外周側が摺動支持されていることを特徴とする請求項１記載の防振台。
【請求項３】
前記筒状部は、その内周側に形成されると共に前記膨出部を挟んで前記剛板の下面側に対向して配設される支持部を備え、その支持部によって前記膨出部の他方側または一方側が支持されていることを特徴とする請求項２記載の防振台。
【請求項４】
前記筒状部は、その上端から内周側へ向けて張り出す規制部を備え、
前記本体部は、少なくとも前記剛板の上面側を被覆する被覆部を備え、
前記被覆部は、その上面における周縁部分に位置し前記規制部に係止可能に構成される係止部と、その係止部の内側に位置し前記係止部よりも上方に突出する突面部とを備えていることを特徴とする請求項２又は３に記載の防振台。
【請求項５】
前記突面部は、その上面が中心へ向かうにつれて下降傾斜するテーパ状に形成されていることを特徴とする請求項４記載の防振台。
【請求項６】
前記本体部は、前記剛板の上面側に筒状に立設される把持部を備え
前記把持部は、その外周側が前記筒状部に摺動支持されると共に、前記把持部の内周側に前記振動体が収容可能に形成されていることを特徴とする請求項２又は３に記載の防振台。
【請求項７】
前記剛板は、前記膨出部の他方側に支持されていることを特徴とする請求項１から６のいずれかに記載の防振台。
【請求項８】
前記支持部は、その下面側が前記筒状部の外周側から内周側へ向かうにつれて上昇傾斜するテーパ状に形成されていることを特徴とする請求項３から７のいずれかに記載の防振台。
【請求項９】
前記支持部は、その下面側から突出する突出部を備えていることを特徴とする請求項３から８のいずれかに記載の防振台。
【発明の詳細な説明】
【技術分野】
【０００１】
本発明は、防振台に関し、特に、構造を簡素化して製造コストを抑制しつつ、床面へ伝達される振動や衝撃を低減できる防振台に関するものである。
【背景技術】
【０００２】
打楽器を支持するスタンドや、打楽器を打撃する際に使用するキックペダルには、打楽器の演奏に伴って激しい振動や衝撃が付与される。そのため、これらスタンドやキックペダル等の振動体を床面に接地させた状態で打楽器の演奏を行うと、振動や衝撃が床面に直接的に伝達され、それが床面から騒音を発生させる要因となる。
【０００３】
こうした床面から発生する騒音を低減させる手段の１つとして、振動を吸収する部材を振動体と床面との間に介設することによって、振動体に付与された振動や衝撃の床面への伝達を抑制する技術が一般的に知られている。
【０００４】
特許文献１には、電子ドラム３０のペダル３２（キックペダル）が搭載可能な台板１１（剛板）の裏面に、振動吸収材により形成された複数の脚部材１２（本体部）を分散配置する技術が開示されている。
【先行技術文献】
【特許文献】
【０００５】
【特許文献１】特開平１１−２４６６０号公報(図２など)
【発明の概要】
【発明が解決しようとする課題】
【０００６】
しかしながら、特許文献１に開示される技術では、脚部材１２を硬度の低い振動吸収材により形成すると、大きな荷重が付与された場合に、脚部材１２が過剰に圧縮され、振動体から伝達された振動や衝撃が十分に減衰されないまま床面へ伝達されるという問題点があった。一方、想定される最大荷重に対して脚部材１２を適正に圧縮させるためには、脚部材１２を硬度の高い振動吸収材により形成する必要があるため、振動体から床面へ伝達される振動や衝撃を十分に低減させることができないという問題点があった。
【０００７】
また、特許文献１に開示される技術は、脚部材１２に加え、台板１１の上合板１４及び下合板とパーティクルボード１６との間に遮音シート１７等を介装することによって振動や衝撃の減衰を図っていたため、構造が複雑化し、製造コストが嵩むという問題点があった。
【０００８】
本発明は、上述した問題点を解決するためになされたものであり、構造を簡素化して製造コストを抑制しつつ、楽器演奏時における床面への振動や衝撃の伝達を低減できる防振台を提供することを目的としている。
【課題を解決するための手段および発明の効果】
【０００９】
請求項１記載の防振台によれば、本体部を床面に接地させた状態で剛板の上に振動体が設置されることにより、振動体に付与された振動や衝撃は剛板および本体部を介して床面へ伝達される。
【００１０】
本体部は、剛板よりも弾性が高いゴム状弾性体から構成されると共に一方側から他方側へ向けて先細り状に膨出形成される膜状の膨出部を備えているので、演奏時において想定される最大荷重に対して適正に圧縮される程度に硬度の高いゴム状弾性体から膨出部を構成した場合であっても、膨出部の他方側を容易に弾性変形させることができる。
【００１１】
従って、本体部の構造を簡素化して製造コストを抑制しつつ、付与される荷重に起因して発生する振動体の振動や衝撃の床面への伝達を膨出部によって低減させることができるという効果がある。その結果、楽器演奏時に床面から発生する騒音を低減させることができる。
【００１２】
また、剛板が所定の剛性を有する板状に形成され、膨出部の一方側または他方側によって剛板の下面側が支持されているので、膨出部が局所的に弾性変形することを防止できる。よって、剛板に載置される振動体がぐらつくことを抑制できるという効果がある。
【００１３】
請求項２記載の防振台によれば、請求項１記載の防振台の奏する効果に加え、膨出部の一方側と他方側とを結ぶ方向に沿って延設される筒状部に剛板の外周側が摺動支持されているので、膨出部の一方側と他方側とを結ぶ方向への剛板の変位を許容しつつ、膨出部の一方側と他方側とを結ぶ方向に垂直な方向への変位を規制することができる。よって、膨出部に対する剛板の位置ずれを防止できると共に剛板に載置された振動体が滑落することを回避できるという効果がある。
【００１４】
請求項３記載の防振台によれば、請求項２記載の防振台の奏する効果に加え、膨出部を挟んで剛板の下面側に対向して配設される支持部によって、膨出部の他方側または一方側が支持されているので、膨出部を圧縮させやすくすることができるという効果がある。
【００１５】
請求項４記載の防振台によれば、請求項２又は３のいずれかに記載の防振台の奏する効果に加え、筒状部の上端から内周側へ向けて張り出す規制部に被覆部の上面における周縁部分に位置する係止部が係止されるので、剛板および被覆部が筒状部の上方から抜け出ることを防止できるという効果がある。
【００１６】
また、突面部が係止部よりも上方へ突出しているので、突面部を介して剛板に載置された振動体が規制部と干渉することを回避しやすくすることができる。よって、様々な形状の振動体に対して使用することができるので、防振台の汎用性を向上させることができるという効果がある。
【００１７】
請求項５記載の防振台によれば、請求項４記載の防振台の奏する効果に加え、突面部の上面が中心へ向かうにつれて下降傾斜するテーパ状に形成されているので、剛板に載置された振動体が滑落することを抑制できるという効果がある。
【００１８】
請求項６記載の防振台によれば、請求項２又は３に記載の防振台の奏する効果に加え、剛板の上面に立設されると共に筒状部の内周側に摺動支持される把持部に対し、振動体を収容することができるので、防振台に対する振動体の位置ずれを防止できる。よって、振動体が防振台から滑落することを回避できるという効果がある。
【００１９】
請求項７記載の防振台によれば、請求項１から６のいずれかに記載の防振台の奏する効果に加え、剛板が膨出部の他方側に支持されているので、剛板を付与される荷重が大きくなるにつれて、剛板と膨出部との接触面積を増やすことができる。よって、剛板に伝達された振動や衝撃を膨出部によって低減させやすくすることができるという効果がある。
【００２０】
請求項８記載の防振台によれば、請求項３から７のいずれかに記載の防振台の奏する効果に加え、支持部の下面側が筒状部の外周側から内周側へ向かうにつれて上昇傾斜するテーパ状に形成されているので、剛板から膨出部へ付与される荷重が小さい場合には、支持部の外周側を床面に接地させ、支持部の内周側を床面から離間させることができる。よって、剛板から伝達される振動や衝撃が小さい場合には、本体部と床面との接触面積を小さくして、振動や衝撃が床面へ伝達されることを抑制できるという効果がある。
【００２１】
また、剛板から膨出部へ付与される荷重が大きい場合には、支持部の外周側と内周側との双方を床面に接地させることができる。即ち、剛板に大きな振動や衝撃が付与された場合には、床面に対する支持部のグリップ力を高めることで、床面に対して防振台が移動することを抑制できるという効果がある。
【００２２】
請求項９記載の防振台によれば、請求項３から８のいずれかに記載の防振台の奏する効果に加え、筒状部の下面から突出部が突出しているので、床面に対する筒状部のグリップ力を向上させることができる。よって、防振台が床面に対して移動することを抑制できるという効果がある。
【図面の簡単な説明】
【００２３】
【図１】第１実施の形態における第１防振台および第２防振台に載置されたバスドラム及びキックペダルの側面図である。
【図２】（ａ）は、第１防振台の上面図であり、（ｂ）は、第１防振台の下面図である。
【図３】（ａ）は、図２（ｂ）のＩＩＩａ部分を拡大した第１防振台の部分拡大下面図であり、（ｂ）は、図２（ａ）のＩＩＩｂ−ＩＩＩｂ線における第１防振台の断面図である。
【図４】本体部の上面図である。
【図５】図１のＶ部分を拡大した第１防振台の部分拡大図である。
【図６】（ａ）及び（ｂ）は、第１防振台の部分拡大図である。
【図７】（ａ）は、第２防振台の上面図であり、（ｂ）は、図７（ａ）のＶＩＩｂ−ＶＩＩｂ線における第２防振台の断面図であり、（ｃ）は、第２防振台の下面図であり、（ｄ）は、第２防振台の断面図である。
【図８】圧縮試験の試験結果を示すグラフである。
【図９】（ａ）は、第２実施の形態における第２防振台の側面図であり、（ｂ）は、図９（ａ）のＩＸ−ＩＸ線における第２防振台の断面図である。
【図１０】（ａ）は、第３実施の形態における本体部の部分拡大下面図であり、（ｂ）は、図１０（ａ）のＸｂ−Ｘｂ線における本体部の断面図である。
【図１１】（ａ）は、第４実施の形態における本体部の下面図であり、（ｂ）は、本体部の部分拡大下面図であり、（ｃ）は、図１１（ｂ）のＸＩｃ−ＸＩｃ線における本体部の断面図であり、（ｄ）は、図１１（ｂ）のＸＩｄ−ＸＩｄ線における本体部の断面図である。
【発明を実施するための形態】
【００２４】
以下、本発明の好ましい実施の形態について添付図面を参照して説明する。まず、図１を参照して、本発明の第１実施の形態における第１防振台２０及び第２防振台４０の概略構成について説明する。図１は、第１実施の形態における第１防振台２０及び第２防振台４０に載置されたバスドラム１及びキックペダル２の側面図である。
【００２５】
図１に示すように、バスドラム１は、アコースティックの打楽器を模した電子打楽器であり、演奏者により打撃されるドラム本体１１と、そのドラム本体１１が打撃されたことを検出するセンサ（図示せず）と、ドラム本体１１の外周面に連結される支持スタンド１２とを備えている。支持スタンド１２は、ドラム本体１１を床面Ｆから浮かせた状態で支持するための部材であり、板状に形成される板スタンド１３と、棒状に形成される棒スタンド１４とを備えている。
【００２６】
キックペダル２は、板状の基部２ａと、その基部２ａに揺動可能に支持されたペダル部２ｂと、そのペダル２ｂに連動して回動する回動部２ｃとを備え、その回動部２ｃにビータ３が固定されている。キックペダル２は、基部２ａが板スタンド１３に固定されており、演奏者によりペダル部２ｂが踏み込まれると、その踏み込みに連動してビータ３が回動し、そのビータ３によってドラム本体１１が打撃される。
【００２７】
バスドラム１及びキックペダル２は、床面Ｆに接地された第１防振台２０及び第２防振台４０の上に設置されている。
【００２８】
第１防振台２０及び第２防振台４０は、バスドラム１及びキックペダル２に付与された振動や衝撃が床面Ｆへ伝達されることを抑制するための器具であり、第１防振台２０にはバスドラム１の板スタンド１３及びキックペダル２の基部２ａが、第２防振台４０にはバスドラム１の棒スタンド１４がそれぞれ載置されている。
【００２９】
次に、図２から図４を参照して、第１防振台２０について説明する。図２（ａ）は、第１防振台２０の上面図であり、図２（ｂ）は、第１防振台２０の下面図である。図３（ａ）は、図２（ｂ）のＩＩＩａ部分を拡大した第１防振台２０の部分拡大下面図であり、図３（ｂ）は、図３（ａ）のＩＩＩｂ−ＩＩＩｂ線における第１防振台２０の断面図である。図４は、本体部２２の上面図である。
【００３０】
図２から図４に示すように、第１防振台２０は、所定の剛性を有する鉄板から構成される矩形板状の剛板２１と、その剛板２１を床面Ｆから浮かせた状態で支持する本体部２２とを備えている。
【００３１】
剛板２１が矩形板状に形成されているので、第１防振台２０を複数並べて使用する際には、隣接して配置される剛板２１の間に隙間が形成されることを防止できる。なお、剛板２１の上面（図２（ａ）紙面手前側の面）には図示しないカーペットが覆設されている。
【００３２】
本体部２２は、剛板２１よりも弾性が高い硬度６０度のＥＰＤＭゴムから構成され、長手方向（図２（ａ）左右方向）における中央部分で幅方向（図２（ａ）上下方向）に沿って２つに分断されている。なお、図４では、２つに分断された本体部２２のうちの一方側のみを図示し、他方側の図示を省略している。
【００３３】
本体部２２は、矩形板状の被覆部２３と、その被覆部２３の一面側（図３（ｂ）上面側）に立設される立設部２４と、被覆部２３の他面側（図３（ｂ）下面側）に膨出形成される複数の膨出部２５とを備えている。
【００３４】
被覆部２３は、剛板２１の下面側（図３（ｂ）下面側）を被覆する部位であり、被覆部２３の長手方向（図２（ｂ）左右方向）における寸法および幅方向（図２（ｂ）上下方向）における寸法が、それぞれ剛板２１の長手方向における寸法および幅方向における寸法よりもわずかに大きい寸法に設定されている。
【００３５】
立設部２４は、被覆部２３の周縁部分に沿って立設されており、被覆部２３の長手方向または幅方向に対向して配設される立設部２４どうしの間隔が、剛板２１の長手方向における寸法または幅寸法における寸法と略同等に設定されている。さらに、立設部２４には、その上端から被覆部２３の内側へ向けて張り出す張出部２４ａが形成されると共に、その張出部２４ａと被覆部２３との間には隙間が形成され、その隙間に剛板２１及びカーペット（図示せず）の周縁部分が差し込まれている。
【００３６】
被覆部２３と張出部２４ａとの隙間に剛板２１が差し込まれた状態では、剛板２１が立設部２４によって包囲されるので、剛板２１の変位を被覆部２３及び立設部２４によって規制することができる。よって、本体部２２に対する剛板２１及びカーペットの位置ずれを防止することができる。
【００３７】
従って、本体部２２に剛板２１を装着するにあたり、ボルトや接着材等の他の材料による固定作業を簡素化できるので、本体部２２に対する剛板２１の装着作業を簡素化することができる。
【００３８】
ここで、被覆部２３と張出部２４ａとの隙間に剛板２１及びカーペットを差し込む際に、被覆部２３と張出部２４ａとの隙間を広げつつ、その隙間に剛板２１及びカーペットの周縁部分全体を差し込むことはできるものの、その差し込み作業は繁雑である。特に、剛板２１は、少なくともバスドラム１の板スタンド１３及びキックペダル２の基部２ｂ（図１参照）が載置可能な寸法に設定する必要があり、剛板２１の長手方向および幅方向における長さ寸法が大きくなるほど、差し込み作業に大きな労力が必要となる。
【００３９】
これに対し、本体部２２が２つに分断されているので、分断された各々の本体部２２を小型化して扱いやすくすることができる。さらに、本体部２２の分断された部位（図４における上側）から張出部２４ａと被覆部２３との隙間に剛板２１を差し込むことにより、剛板２１を本体部２２に装着することができるので、その装着作業を簡素化することができる。
【００４０】
膨出部２５は、その一方側から他方側へ向かうにつれて先細りとなる中空ドーム状に形成された膜状の部位であり、剛板２１の下面側が膨出部２５の一方側に支持されている。
【００４１】
なお、本実施の形態では、本体部２２に１２個の膨出部２５が配設されており、被覆部２３の長手方向（図２（ｂ）左右方向）に沿って不等間隔に配設された６個の膨出部２５が、被覆部２３の幅方向（図２（ｂ）上下方向）における一端部および他端部における周縁部分にそれぞれ並設されている。
【００４２】
また、２つに分断された本体部２２の各々の被覆部２３には６つの膨出部が一体的に膨出形成されている。よって、全ての膨出部２５が個々に形成される場合と比べて、膨出部２５を剛板２１に取り付ける際の作業工数を少なくできる。また、被覆部２３と立設部２４との隙間に剛板２１を差し込むことによって膨出部２５を剛板２１に対して適切な位置に配置することができる。よって、剛板２１に対する膨出部２５の装着作業を簡素化できる。
【００４３】
なお、被覆部２３の長手方向において隣接する膨出部２５の間隔は、被覆部２３の長手方向における中心側では狭く、長手方向における両端側では広く設定されている。これにより、剛板２１に荷重が付与された際に剛板２１の長手方向における中央部分が撓むことを抑制できる。
【００４４】
ここで、被覆部２３の一面側（図３（ｂ）上面側）には、隣接する膨出部２５どうしを連通させる溝状の溝部２６が複数凹設されている。また、それら複数の溝部２６のうち、被覆部２３の幅方向（図２（ｂ）上下方向）に沿って延設される溝部２６には、溝部２６と被覆部２３の他面側（図３（ｂ）下面側）とを連通させる連通孔２７が被覆部２３の厚さ方向（図３（ｂ）上下方向）に沿って穿設されている（図４参照）。
【００４５】
これにより、中空状に形成された膨出部２５の内部と外部とを溝部２６及び連通孔２７を介して連通させることができるので、膨出部２５の内部の空気を外部へ円滑に放出させることができる。
【００４６】
また、膨出部２５には、その他方側に位置する外表面から径方向外方へ向けて突出する突出部２８が、膨出部２５の他方側（図３（ａ）紙面手前側）から視て同心円状に形成されている。
【００４７】
次に、図５を参照して、床面Ｆに設置された第１防振台２０にバスドラム１及びキックペダル２を載置した状態における膨出部２５の変形態様について説明する。図５は、図１のＶ部分を拡大した第１防振台２０の部分拡大側面図であり、説明をわかりやすくするために剛板２１及び本体部２２を断面視した状態が図示されている。
【００４８】
図５に示すように、膨出部２５の他方側を床面Ｆに接地させた状態で剛板２１の上にバスドラム１（図１参照）及びキックペダル２を載置すると、それらバスドラム１及びキックペダル２の重量によって剛板２１が床面Ｆ側へ押圧され、剛板２１と床面Ｆとの間に介設された膨出部２５が圧縮される。
【００４９】
このとき、剛板２１が所定の剛性を有する鉄板から構成されているので、バスドラム１及びキックペダル２から付与された荷重によって剛板２１が変形することを抑制できる。よって、第１防振台２０にバスドラム１及びキックペダル２を安定的に設置できる。
【００５０】
さらに、剛板２１は、所定の剛性を有する鉄板から構成されると共に、剛板２１の下面側が複数の膨出部２５によって支持されているので、剛板２１に付与された荷重を複数の膨出部２５に均等に分散させることができる。即ち、複数の膨出部２５のうちの一部の膨出部２５に荷重が集中することを防止できるので、一部の膨出部２５が過剰に圧縮されることを抑制できると共に、複数の膨出部２５によって剛板２１を安定的に支持することができる。
【００５１】
また、剛板２１が鉄板から構成されているので、剛板２１の剛性を確保しつつ剛板２１の厚さ寸法を小さく設定することができる。これにより、剛板２１の上に設置されたキックペダル２の床面Ｆからの高さ位置が高くなりすぎることを回避できるので、キックペダル２への踏み込み操作時において演奏者に与える違和感を低減させることができる。
【００５２】
剛板２１と床面Ｆとの間に介設された膨出部２５は、一方側から他方側へ向けて先細りする中空状に形成され、その膨出部２５の他方側が床面Ｆに接地されているので、剛板２１から付与される小さな荷重によって各々の膨出部２５の他方側を容易に弾性変形させることができる。これにより、床面Ｆと膨出部２５との接地面積を増加させることができるので、床面Ｆに対して第１防振台２０を安定的に設置できる。その結果、第１防振台２０のがたつきを防止できるので、そのがたつきに起因して発生する床面Ｆからの騒音を低減させることができる。
【００５３】
さらに、床面Ｆとバスドラム１（図１参照）との間に本体部２２が介設されているので、床面Ｆの振動がバスドラム１へ伝達されることを膨出部２５によって抑制することができる。よって、床面Ｆから伝達された振動をバスドラム１のセンサ（図示せず）が誤検出することを回避しやすくすることができる。
【００５４】
また、膨出部２５の他方側に位置する外表面には突出部２８が突出形成されているので、その突出部２８を床面Ｆに接地させることによって、膨出部２５の床面Ｆに対するグリップ力を高めることができる。従って、第１防振台２０が床面Ｆに対して移動することを抑制できる。
【００５５】
さらに、突出部２５を床面Ｆに接地させることにより、膨出部２５の外表面全体を床面Ｆに接地させる場合と比べて、床面Ｆに対する膨出部２５の接地面積を小さくすることができる。これにより、膨出部２５から床面Ｆへ又は床面Ｆから膨出部２５へ振動や衝撃が伝達されることを抑制できる。
【００５６】
次に、図６を参照して、キックペダル２が踏み込まれた場合における膨出部２５の変形態様について説明する。図６（ａ）及び図６（ｂ）は、第１防振台２０の部分拡大図である。なお、図６（ａ）には、ペダル部２ｂが踏み込まれてキックペダル２に下方への荷重Ｗ１が付与された状態が、図６（ｂ）には、ペダル部２ｂが踏み込まれてキックペダル２に下方かつ前方への荷重Ｗ２が付与された状態が図示される共に、説明をわかりやすくするために剛板２１及び本体部２２を断面視した状態が図示されている。
【００５７】
図６（ａ）に示すように、ペダル部２ｂが踏み込まれてキックペダル２に対して下方への荷重Ｗ１が付与されると、第１防振台２０に対して大きな振動や衝撃が付与され、剛板２１と床面Ｆとの間に介設される膨出部２５が更に圧縮される。
【００５８】
膨出部２５は、硬度（ＪＩＳタイプＡデュロメータによる、以下同様）が６０度のＥＰＤＭゴムから構成されているので、膨出部２５が過剰に圧縮されることを防止できる。即ち、演奏時において想定される最大荷重に対して膨出部２５を適正に圧縮させることができるので、剛板２１から付与された振動や衝撃を膨出部２５によって低減させることができると共に、膨出部２５の塑性変形を抑制できる。
【００５９】
なお、剛板２１から付与される荷重を主として支持している部位は、膨出部２５が接地している部位全体のうちの外縁部分である。従って、その外縁部分を圧縮するために必要な荷重と膨出部２５に付与される荷重とが均衡するまで膨出部２５が圧縮される。
【００６０】
ここで、キックペダル２が踏み込まれる前の状態（図５に示す状態）において膨出部２５が床面Ｆに接地される部位全体のうちの外縁部分を部位Ａ、荷重Ｗ１が付与された状態（図６（ａ）に示す状態）において膨出部２５が床面Ｆに接地される部位全体のうちの外縁部分を部位Ｂと定義する。
【００６１】
膨出部２５は、一方側から他方側へ向かうにつれて先細状に膨出形成されており、部位Ａは、部位Ｂよりも膨出部２５の他方側に位置しているので、部位Ａは、部位Ｂと比べて床面Ｆと接地する外縁部分の周長が短い。即ち、膨出部２５に付与される荷重が大きくなり、床面Ｆに対する膨出部２５の接地面積が大きくなるほど、床面Ｆと接地する外縁部分の周長が長くなり、その外縁部分を圧縮させるためには大きな荷重が必要となる。従って、部位Ａは部位Ｂと比べて小さな荷重によって容易に弾性変形させることができる。
【００６２】
さらに、膨出部２５は、中空ドーム状に形成されており、膨出部２５の径方向に垂直な断面のうち、部位Ａを通る断面が床面Ｆに対してなす角度は、部位Ｂを通る断面が床面Ｆに対してなす角度よりも小さい。即ち、膨出部２５に付与される荷重が大きくなり、床面Ｆに対する膨出部２５の接触面積が大きくなるほど、床面Ｆと接地する外縁部分を通る断面が床面Ｆに対してなす角度が大きくなり、その外縁部分を圧縮させるためには大きな荷重が必要となる。従って、部位Ａは部位Ｂと比べて小さな荷重によって容易に弾性変形させることができる。
【００６３】
以上のように、膨出部２５が一方側から他方側へ向けて先細りとなる中空ドーム状に形成されることにより、演奏時において想定される最大荷重に対して適正に圧縮される程度に硬度の高い硬度６０度のＥＰＤＭゴムから膨出部２５が構成されている場合であっても、剛板２１から各々の膨出部２５に付与された小さな荷重で膨出部２５を弾性変形させることができる。よって、小さな荷重に起因して発生する振動および衝撃が剛板２１から床面Ｆへ伝達されることを膨出部２５によって低減させることができる。
【００６４】
一方、部位Ｂは、部位Ａと比べて床面Ｆと接地する外縁部分の周長が長く、部位Ｂを通る断面が床面Ｆに対してなす角度は、部位Ａを通る断面が床面Ｆに対してなす角度よりも大きいので、部位Ｂを弾性変形させるためには大きな荷重が必要とされる。
【００６５】
即ち、剛板２１から各々の膨出部２５に対して大きな荷重が付与された場合には、膨出部２５が過剰に圧縮されることを回避しやすくして膨出部２５を適正に圧縮させることができる。これにより、大きな荷重に起因して発生する振動および衝撃が剛板２１から床面Ｆへ伝達されることを膨出部２５によって低減させることができる。
【００６６】
このように、第１防振台２０は、本体部２２の構造を簡素化して製造コストを抑制しつつ、バスドラム１やキックペダル２に付与された振動や衝撃が床面Ｆへ伝達されることを膨出部２５によって低減させることができる。その結果、楽器演奏時に床面Ｆから発生する騒音を低減させることができる。
【００６７】
また、膨出部２５が圧縮される際に、膨出部２５の内部の空気を溝部２６及び連通孔２７を介して外部へ円滑に放出できるので、膨出部２５の圧縮が空気圧によって阻害されることを防止できる。
【００６８】
さらに、剛板２１の下面側が膨出部２５の一面側に支持され、膨出部２５の他面側が床面Ｆに接地されているので、膨出部２５に付与される荷重が大きくなるにつれて膨出部２５と床面Ｆとの接地面積を大きくすることができる。
【００６９】
従って、膨出部２５に付与される荷重が小さい場合には、床面Ｆに対する膨出部２５の接触面積を小さくして床面Ｆへ伝達される振動や衝撃を低減させることができる。一方、膨出部２５に付与される荷重が大きい場合には、床面Ｆに対する膨出部２５の接地面積を多くして床面Ｆに対する膨出部２５のグリップ力を高めることができる。その結果、床面Ｆに対して膨出部２５が移動することを抑制できる。
【００７０】
また、突出部２８が膨出部２５の他方側から視て同心円状に形成されているので、膨出部２５に付与される荷重が大きくなるほど床面Ｆに対する突出部２８の接地面積を増加させることができる。
【００７１】
さらに、突出部２８を同心円状に形成することによって、膨出部２５の径方向に沿って複数の突出部２８を列設させることができる。これにより、床面Ｆに対する膨出部２５の接地面積が増えた場合であっても、膨出部２５が床面Ｆに接地される部位全体のうちの外縁部分において、突出部２８を床面Ｆに接地させやすくすることができる。よって、床面Ｆに対する膨出部２５のグリップ力をより一層高めることができる。
【００７２】
図６（ｂ）に示すように、演奏者による踏み込みに伴い、キックペダル２に対して下方かつ前方（図６（ｂ）左側）への荷重Ｗ２が付与されると、剛板２１及び被覆部２３が前方へ変位し、それに追随して膨出部２５の一方側が前方へ引き寄せられる。
【００７３】
これに対し、床面Ｆに対する突出部２８のグリップ力が発揮されることにより、膨出部２５の他方側が床面Ｆに対して前方へ引きずられることを防止できる。よって、荷重Ｗ２の付与が解除され、荷重Ｗ２が付与される前の形状に膨出部２５が復元されることで、剛板２１の位置を荷重Ｗ２が付与される前の位置へ戻すことができる。これにより、バスドラム１及びキックドラム２の設置位置が初期位置から移動することを抑制できる。
【００７４】
また、突出部２８が同心円状に形成されているので、剛板２１及び被覆部２３が前方へ変位し、それに追随して膨出部２５の一方側が前方へ変位した場合に、膨出部２５の前方側に形成される突出部２８をより多く床面Ｆに接地させることができる。
【００７５】
即ち、突出部２８が同心円状に形成されることにより、剛板２１に対して前後左右方向への大きな荷重が付与された場合であっても、床面Ｆに対する膨出部２５のグリップ力を高めることができるので、第１防振台２０が床面Ｆに対して移動することを抑制できる。
【００７６】
なお、本実施の形態では、本体部２２に１２個の膨出部２２が形成されているが、膨出部２５は少なくとも剛板２１の四隅に形成されていればよい。
【００７７】
膨出部２５を少なくとも剛板２１の四隅に配設することによって、剛板２１を床面Ｆに対して安定的に支持することができるので、第１防振台２０に載置されたバスドラム１やキックペダル２がぐらつくことを防止できる。
【００７８】
また、本体部２２に形成される膨出部２５の数量が６個以上かつ１６個以下の範囲内であることがより望ましい。
【００７９】
本体部２２に形成される膨出部２５の数量を６個以上に設定することで、剛板２１に対して付与されると想定される最大荷重に対して膨出部２５が過剰に圧縮されることを回避しやすくすることができる。さらに、複数の膨出部２５のうちの４個を剛板２１の四隅に配置し、他の膨出部２５を少なくとも剛板２１の長手方向における中央部分に配置することによって、剛板２１の中央部分が撓むことを防止できる。
【００８０】
また、本体部２２に形成される膨出部２５の数量を１６個以下に設定することで、剛板２１に付与された荷重が小さい場合であっても、各々の膨出部２５を弾性変形させやすくすることができる。
【００８１】
さらに、剛板２１に載置可能なバスドラム１及びキックドラム２の許容最大重量は、１個の膨出部２５あたり４ｋｇ以下に設定されることが望ましい。これにより、膨出部２５に荷重が付与された場合に膨出部２５が過剰に圧縮されることを回避できる。その結果、バスドラム１及びキックドラム２に付与された振動や衝撃が床面Ｆへ伝達されることを抑制できると共に、膨出部２５の塑性変形を抑制できる。
【００８２】
次に、図７を参照して、第２防振台４０について説明する。図７（ａ）は、第２防振台４０の上面図であり、図７（ｂ）は、図７（ａ）のＶＩＩｂ−ＶＩＩｂ線における第２防振台４０の断面図であり、図７（ｃ）は、第２防振台４０の下面図であり、図７（ｄ）は、第２防振台４０の断面図である。なお、図７（ｄ）は、図７（ｂ）に示す断面に対応しており、剛板４１に下方への荷重Ｗ３が付与された状態が図示されている。
【００８３】
図７（ａ）から図７（ｃ）に示すように、第２防振台４０は、円板状の剛板４１と、その剛板４１を床面Ｆから浮かせた状態で支持する本体部４２とを主に備えている。
【００８４】
剛板４１は、所定の剛性を有する鉄板から構成され、支持部４２は、剛板４１よりも弾性が高い硬度６０度のＥＰＤＭゴムから構成されている。本体部４２は、剛板４１を被覆する被覆部４３と、その被覆部４３を摺動支持する円筒状の筒状部４４と、その筒状部４４に収容されると共に剛板４１及び被覆部４３の下方に配設される膨出部４５とを備えている。
【００８５】
被覆部４３は、剛板４１の上面側を被覆する円板状の円板部４３ａと、その円板部４３ａの下面側（図７（ｂ）下面側）における周縁部分に沿って立設されると共に剛板４１の周縁部分を被覆する円環状の円環部４３ｂとを備えている。
【００８６】
円板部４３ａは、その上面側（図７（ｂ）上面側）における周縁部分に位置する上面視略円環状の係止部４３ａ１と、その係止部４３ａ１の内周側に形成されると共に係止部４３ａ１よりも上方へ突出する上面視略円形状の突面部４３ａ２とを備えている。
【００８７】
係止部４３ａ１は、筒状部４３に係止される部位であり、突面部４３ａ２は、棒スタンド１４（図１参照）が載置される部位である。
【００８８】
なお、突面部４３ａ２は、その上面が中心へ向かうにつれて下降傾斜するテーパ状に形成されている。これにより、突面部４３ａ２の上面に載置された棒スタンド１４が滑落することを防止できる。
【００８９】
円環部４３ｂには、その下端から円板部４３ａの中心側へ向けて張り出す張出部４３ｃが形成されると共に、その張出部４３ｃと円板部４３ａとの間には隙間が形成され、その隙間に剛板４１の周縁部分が差し込まれている。これにより、被覆部４３に対する剛板４１の変位を被覆部４３によって規制することができる。
【００９０】
筒状部４４は、その上端から筒状部４４の径方向内方へ向けて張り出す上面視略円環状の規制部４６と、筒状部４４の下端から筒状部４４の径方向内方へ向けて張り出すと共に膨出部４５の一方側を支持する下面視略円環状の支持部４７とを備えている。
【００９１】
規制部４６は、被覆部４３の係止部４３ａ１が係止される部位であり、規制部４６の内径が係止部４３ａ１の外径よりも小さな寸法に設定されている。これにより、筒状部４４の内周面を摺動する被覆部４３が筒状部４４の上方から抜け出ることを防止できる。
【００９２】
また、被覆部４３の突面部４３ａ２が、係止部４３ａ１よりも上方へ突出しているので、突面部４３ａ２に載置された棒スタンド１４が筒状部４４と干渉することを回避しやすくすることができる。また、棒スタンド１４とは形状が異なる支持スタンドを突面部４３ａ２に載置した場合であっても、その支持スタンドと筒状部４４との干渉を回避しやすくすることができるので、第２防振台４０の汎用性を向上させることができる。
【００９３】
支持部４７は、膨出部４５を挟んで剛板４１の下面側に対向して配設されており。支持部４７の外周側が筒状部４４の内周面に連設されると共に、支持部４７の内周側が膨出部４５に連設されている。
【００９４】
また、支持部４７の下面側には、支持部４７の内周側と外周側とにそれぞれ同心円状の突出部４８ａ，４８ｂが突出形成されており、突出部４８ａ，４８ｂを床面Ｆに接地させることによって、床面Ｆに対する支持部４７のグリップ力を高めることができる。
【００９５】
なお、支持部４７は、その下面側が外周側から内周側へ向かうにつれて上昇傾斜するテーパ状に形成されている。よって、剛板４１に荷重が付与されていない状態では、支持部４７の外周側に位置する突出部４８ａが床面Ｆに接地され、支持部４７の内周側に位置する突出部４８ｂが床面Ｆから離間している。
【００９６】
膨出部４５は、一方側から他方側へ向かうにつれて漸次先細りとなるドーム状に膨出形成された膜状の部位であり、膨出部４５の一方側が支持部４７に連設されると共に、膨出部４５の他方側が剛板４１の下面側に当接されている。膨出部４５の一方側が支持部４７に支持されているので、筒状部４４に対する膨出部４５の変位を抑制することができる。
【００９７】
図７（ｄ）に示すように、棒スタンド１４（図１参照）から剛板４１に下方への荷重Ｗ３が付与されると、剛板４１と床面Ｆとの間に介設される膨出部４５が圧縮される。
【００９８】
剛板４１は、所定の剛性を有する鉄板から構成されているので、棒スタンド１４から付与された荷重によって剛板４１が変形することを抑制できると共に、棒スタンド１４から付与された荷重が膨出部４５の一部分へ局所的に付与されることを防止できる。よって、第２防振台４０にバスドラム１を安定的に設置できる。
【００９９】
膨出部４５は、硬度が６０度のＥＰＤＭゴムから構成されているので、膨出部４５が過剰に圧縮されることを防止できる。即ち、演奏時において想定される最大荷重に対して膨出部４５を適正に圧縮させることができるので、剛板４１から付与された振動や衝撃を膨出部４５によって低減させることができると共に、膨出部４３の塑性変形を抑制できる。
【０１００】
また、膨出部４５は、一方側から他方側へ向けて先細りするドーム状に形成されているので、演奏時において想定される最大荷重に対して適正に圧縮される程度に硬度６０度のＥＰＤＭゴムから膨出部４５を構成した場合であっても、剛板４１から膨出部４５に付与された小さな荷重で膨出部４５を弾性変形させることができる。よって、小さな荷重に起因して発生する振動および衝撃が剛板４１から床面Ｆへ伝達されることを膨出部４５によって低減させることができる。
【０１０１】
一方、剛板４１から膨出部４５に対して大きな荷重が付与された場合には、膨出部４５が過剰に圧縮されることを回避しやすくして膨出部４５を適正に圧縮させることができる。これにより、大きな荷重に起因して発生する振動および衝撃が剛板４１から床面Ｆへ伝達されることを膨出部４５によって低減させることができる。
【０１０２】
従って、第２防振台４０は、本体部４２の構造を簡素化して製造コストを抑制しつつ、バスドラム１に付与された振動や衝撃が床面Ｆへ伝達されることを膨出部４５によって低減させることができる。その結果、楽器演奏時に床面Ｆから発生する騒音を低減させることができる。
【０１０３】
さらに、膨出部４５に付与される荷重が大きくなるほど、膨出部４５と剛板４１との接触面積を増加させることができるので、剛板４１に付与された振動や衝撃を膨出部４５によって低減させやすくすることができる。
【０１０４】
また、剛板４１を被覆する被覆部４３が筒状部４４に摺動支持されているので、筒状部４４の軸方向（図７（ｄ）上下方向）、即ち、膨出部４５の一方側と他方側とを結ぶ方向への被覆部４３の変位を許容しつつ、筒状部４４の軸方向に垂直な方向（図７（ｄ）左右方向および紙面垂直方向）への変位を規制することができる。
【０１０５】
これにより、剛板４１が膨出部４５に対して前後左右方向（図７（ｄ）左右方向および紙面垂直方向）へ変位することを規制できるので、膨出部４５に対する剛板４１の位置ずれを防止できると共に、剛板４１の上に載置された棒スタンド１４が滑落することを回避できる。
【０１０６】
さらに、剛板４１の下面側が膨出部４５の他方側に支持されると共に、膨出部４５を挟んで剛板４１に対向して配設される支持部４７に膨出部４５の一方側が支持されているので、剛板４１から膨出部４５へ付与された下方への荷重Ｗ３によって膨出部４５を圧縮させやすくすることができる。
【０１０７】
ここで、膨出部４５に対して下方への荷重Ｗ３が付与されると、膨出部４５の一方側を下方へ押し下げようとする力が付与され、これに伴って支持部４７の外周側が内周側へ引き寄せられる。
【０１０８】
そのため、膨出部４５に荷重が付与される前の状態において、支持部４７の内周側が床面Ｆに接地している場合、膨出部４５に下方への荷重Ｗ３が付与されることによって、支持部４７の外周側が床面Ｆから浮き上がりやすくなる。
【０１０９】
これに対し、筒状部４４は、支持部４７の下面側が外周側から内周側へ向けて上昇傾斜するテーパ状に形成され、膨出部４５に下方への荷重が付与される前の状態では支持部４７の内周側が床面Ｆから離間している。よって、膨出部４５に下方への荷重Ｗ３が付与された際に、支持部４７の外周側に位置する突出部４８ａを床面Ｆに接地させた状態を維持することができる。
【０１１０】
また、所定以上の荷重が膨出部４５に付与された場合には支持部４７の内周側に位置する突出部４８ｂを床面に接地させることができる。これにより、支持部４７の外周側および内周側に位置する突出部４８ｂの双方を床面Ｆに接地させることができるので、床面Ｆに対する膨出部４５のグリップ力を一層高めることができる。よって、床面Ｆに対して第２防振台４０が移動することを抑制できる。
【０１１１】
一方、剛板４１に付与された荷重Ｗ３が所定以下であり、剛板４１から伝達される振動や衝撃が小さい場合には、膨出部４５と床面Ｆと接地面積を小さくして、振動や衝撃が床面Ｆへ伝達されることを抑制できる。
【０１１２】
さらに、突出部４８ａ，４８ｂを床面Ｆに接地させることにより、支持部４７の下面全体を床面Ｆに接地させる場合と比べて、床面Ｆとの接触面積を小さくすることができるので、棒スタンド１４から床面Ｆへの振動や衝撃の伝達を低減させることができる。
【０１１３】
なお、本実施の形態では、第１防振台２０の本体部２２及び第２防振台４０の本体部４２がＥＰＤＭゴムから構成されているが、本体部２２，４２が他の弾性材料、例えば、ニトリルゴム、クロロブレンゴム、エチレンゴム、ポリイソブチレン、フッ素ゴム、シリコンゴム、ウレタンゴム等から構成されていてもよい。
【０１１４】
また、本実施の形態では、本体部２２，４２の硬度が６０度に設定されたＥＰＤＭゴムから構成されているが、本体部２２，４２の硬度は５０度以上かつ８０度以下に設定されるのが望ましい。
【０１１５】
本体部２２，４２の硬度が５０度以上に設定されることによって、剛板２１，４１に対して付与されることが想定される最大荷重に対して膨出部２５，４５を適正に弾性変形させることができる。即ち、膨出部２５，４５が過剰に圧縮されることを防止できるので、大きな荷重に起因して発生する振動や衝撃が床面Ｆへ伝達されることを膨出部２５，４５によって確実に低減させることができる。
【０１１６】
一方、本体部２２，４２の硬度が８０度以下に設定されることによって膨出部２５，４５を小さな荷重によって弾性変形させやすくすることができる。よって、小さな荷重に起因して発生する振動や衝撃が床面Ｆへ伝達されることを膨出部２５，４５によって確実に低減させることができる。
【０１１７】
また、第１防振台２０の膨出部２５及び第２防振台４０の膨出部４５の厚さ寸法は、膨出部２５，４５の曲率半径の１／１０以上かつ１／４以下の範囲内に設定されることが望ましい。
【０１１８】
膨出部２５，４５の厚さ寸法を膨出部２５，４５の曲率半径の１／１０以上に設定することによって、剛板２１，４１に対して付与されると想定される最大荷重に対して膨出部２５，４５を適正に弾性変形させることができる。一方、膨出部２５，４５の厚さ寸法を膨出部２５，４５の曲率半径の１／４以下に設定することによって、膨出部２５，４５を小さな荷重で容易に弾性変形させやすくすることができる。
【０１１９】
なお、本実施の形態では、第１防振台２０の膨出部２５及び第２防振台４０の膨出部４５の厚さ寸法が３ｍｍに設定され、膨出部２５，４５の曲率半径が２０ｍｍに設定されている。
【０１２０】
ここで、図８を参照して、第１防振台２０の膨出部２５に対して行った圧縮試験について説明する。図８は、圧縮試験の試験結果を示すグラフである。この圧縮試験は、第１防振台２０の一の膨出部２５の他方側に鉄板を当接させ、その当接させた鉄板を介して膨出部２５に荷重を付与するものであり、図８は、鉄板に付与された荷重に対して膨出部２５がどれほど圧縮されたかを示すグラフである。
【０１２１】
図８に示すように、圧縮試験の結果、膨出部２５を初期状態（膨出部２５に荷重が付与される前の状態）から２ｍｍ圧縮するのに必要な荷重が約１０Ｎ、膨出部２５を４ｍｍ圧縮するのに必要な荷重が約３５Ｎ、膨出部２５を６ｍｍ圧縮するのに必要な荷重が約５７Ｎ、膨出部２５を８ｍｍ圧縮するのに必要な荷重が約９５Ｎ、膨出部２５を１０ｍｍ圧縮するのに必要な荷重が約１４２Ｎであった。
【０１２２】
この試験結果は、膨出部２５の１つ当たりに付与される荷重が０以上かつ４０Ｎ以下である場合には、膨出部２５が１ｍｍから５ｍｍの間で比例的に変位（圧縮）し、膨出部２５の１つ当たりに付与される荷重が４０Ｎを超えた場合には、膨出部２５が３次関数的に変形する特性を有していることを示している。
【０１２３】
即ち、鉄板に付与される荷重が小さい場合であっても膨出部２５を容易に弾性変形させることができる一方、鉄板に付与される荷重が大きくなるにつれて膨出部２５が圧縮されにくくなることを示している。
【０１２４】
これは、鉄板に付与される荷重が小さい場合には、その荷重を主に支持する膨出部２５と鉄板との接触部位の外周部分の周長も短いため、小さな荷重で膨出部２５を弾性変形させることができたと考えられる。
【０１２５】
一方、鉄板に付与される荷重が大きくなるにつれて、膨出部２５と鉄板との接触部位の外周部分の周長が長くなるため、その外周部分を弾性変形させるためには大きな荷重が必要となり、その結果、膨出部２５が過剰に圧縮されることを回避できたと考えられる。
【０１２６】
さらに、膨出部２５は、一方側から他方側へ向かうにつれて膨出部２５の径方向に垂直な断面と鉄板とのなす角度が小さくなる。そのため、膨出部２５の他方側から一方側へ向けて付与される荷重に対して、膨出部２５の他方側に近接した部位ほど小さな荷重で弾性変形させやすくすることができたと考えられる。
【０１２７】
一方、膨出部２５は、他方側から一方側へ向かうにつれて膨出部２５の径方向に垂直な断面と鉄板とのなす角度が大きくなる。そのため、膨出部２５の他方側から一方側へ向けて付与される荷重に対して、膨出部２５の一方側に近接した部位ほど弾性変形させるためには必要な荷重が大きくなり、その結果、膨出部２５が過剰に圧縮されることを回避できたと考えられる。
【０１２８】
以上説明したように、第１防振台２０及び第２防振台４０によれば、剛板２１，４１に付与される様々な大きさの荷重に起因して発生する振動や衝撃が床面Ｆへ伝達されることを膨出部２５，４５によって低減させることができる。その結果、床面Ｆからの騒音の発生を低減させることができる。
【０１２９】
次に、図９を参照して、第２実施の形態について説明する。第１実施の形態における第２防振台４０では、剛板４１の下面側が膨出部４４の他方側に支持される場合について説明したが、第２実施の形態における第２防振台２４０では、剛板４１が膨出部の一方側に支持される。なお、上記した実施の形態と同一の部分については同一の符号を付して、その説明を省略する。
【０１３０】
図９（ａ）は、第２実施の形態における第２防振台２４０の側面図であり、図９（ｂ）は、図９（ａ）のＩＸｂ−ＩＸｂ線における第２防振台２４０の断面図である。なお、図９（ａ）及び図９（ｂ）には、第２防振台２４０に棒スタンド２１４が支持された状態を図示している。
【０１３１】
図９（ａ）及び図９（ｂ）に示すように、第２防振台２４０は、棒スタンド２１４から床面Ｆへ伝達される振動や衝撃を低減させるための器具であり、剛板４１と、その剛板４１を床面Ｆから浮かせた状態で支持する本体部２４２とを備えている。
【０１３２】
本体部２４２は、剛板４１を被覆する被覆部２４３と、その被覆部２４３に摺動支持する円筒状の筒状部２４４と、その筒状部２４４に収容されると共に剛板４１及び被覆部２４３の下方に配設される膨出部２４５とを備えている。
【０１３３】
被覆部２４３は、剛板４１の表面全体を被覆しており、被覆部２４３の上面には円筒状の把持部２４６が立設されている。
【０１３４】
把持部２４６は、棒スタンド２１４を把持する部位であり、把持部２４６の外周面が筒状部２４４の内周面に摺動支持されると共に、把持部２４６の内周側に棒スタンド２１４が収容可能に形成されている。
【０１３５】
よって、第２防振台２４０に棒スタンド２１４を設置する際には、棒スタンド２１４を把持部２４６に収容することによって、第２防振台２４０に対する棒スタンド２１４の位置ずれを防止できるので、棒スタンド２１４が第２防振台２４０から滑落することを回避できる。
【０１３６】
筒状部２４４は、その下端側を閉塞すると共に膨出部２４５の他方側を支持する支持部２４７を備えている。
【０１３７】
膨出部２４５は、一方側から他方側へ向かうにつれて先細りとなるドーム状に膨出形成された膜状の部位であり、膨出部２４５の一方側が被覆部２４３の下面側に連設されると共に、膨出部２４５の他方側が支持部２４７に支持されている。
【０１３８】
棒スタンド２１４から剛板４１に下方への荷重が付与されると、剛板４１と支持部２４７との間に介設される膨出部２４５が圧縮される。
【０１３９】
このとき、棒スタンド２１４が収容される把持部２４６及び剛板４１を被覆する被覆部２４３が筒状部２４４に摺動支持されているので、筒状部２４４の軸方向（図９（ｄ）上下方向）、即ち、膨出部２４５の一方側と他方側とを結ぶ方向に沿った方向への剛板４１及び被覆部２４３の変位を許容しつつ、筒状部２４４の軸方向に垂直な方向（図９（ｄ）左右方向および紙面垂直方向）への変位を規制することができる。
【０１４０】
これにより、剛板４１及び棒スタンド１４が膨出部２４５に対して前後左右方向（図９（ｄ）左右方向および紙面垂直方向）へ変位することを規制できるので、膨出部２４５に対する剛板４１の位置ずれを防止できると共に、剛板４１の上に載置された棒スタンド２１４が滑落することを回避できる。
【０１４１】
また、剛板４１の下面が膨出部２４５の一方側に支持されると共に、膨出部２４５を挟んで剛板４１に対向して配設される支持部２４７に膨出部２４５の他方側が支持されているので、膨出部２４５を圧縮変形させやすくすることができる。その結果、剛板４１から膨出部２４５へ伝達された振動や衝撃を確実に低減させることができる。
【０１４２】
また、膨出部２４５は、一方側から他方側へ向けて先細りするドーム状に形成されているので、演奏時において想定される最大荷重に対して適正に圧縮される程度に硬度６０度のＥＰＤＭゴムから膨出部２４５を構成した場合であっても、剛板４１から膨出部２４５に付与された小さな荷重で膨出部２４５を弾性変形させることができる。よって、小さな荷重に起因して発生する振動および衝撃が剛板４１から床面Ｆへ伝達されることを膨出部２４５によって低減させることができる。
【０１４３】
一方、剛板４１から膨出部２４５に対して大きな荷重が付与された場合には、膨出部２４５が過剰に圧縮されることを回避しやすくして膨出部２４５を適正に圧縮させることができる。これにより、大きな荷重に起因して発生する振動および衝撃が剛板４１から床面Ｆへ伝達されることを膨出部２４５によって低減させることができる。
【０１４４】
このように、膨出部２４５が一方側から他方側へ向けて先細りとなる中空ドーム状に形成されることによって、様々な大きさの荷重に起因して発生する振動や衝撃を低減させることができるので、振動や衝撃が床面Ｆ（図７（ｂ）参照）へ伝達されることを抑制でき、その結果、床面Ｆからの騒音の発生を低減させることができる。
【０１４５】
次に、図１０を参照して、第３実施の形態について説明する。第１実施の形態では、膨出部２５の厚さ寸法が一方側から他方側にかけて一定である場合について説明したが、第３実施の形態では、膨出部３２５の厚さ寸法が一方側から他方側へ向かうについて漸次大きくなっている。なお、上記した各実施の形態と同一の部分については同一の符号を付して、その説明を省略する。
【０１４６】
図１０（ａ）は、第３実施の形態における本体部３２０の部分拡大下面図であり、図１０（ｂ）は、図１０（ａ）のＸｂ−Ｘｂ線における本体部３２０の断面図である。
【０１４７】
図１０（ａ）及び図１０（ｂ）に示すように、膨出部３２５は、一方側から他方側（図１０（ｂ）上側から下側）へ向かうにつれて漸次先細りとなるドーム状に形成された膜状の部位であり、膨出部３２５の一方側が被覆部３２３に連設されると共に、膨出部３２５の他方側が床面Ｆ（図１参照）に接地可能に形成されている。
【０１４８】
また、膨出部３２５の他方側に面取り加工が施されているので、膨出部３２５を床面Ｆ（図１参照）に対して安定的に接地させることができる。
【０１４９】
さらに、膨出部３２５は、その厚さ寸法が一方側から他方側へ向かうにつれて漸次小さくなっている。これにより、膨出部３２５の変位特性を任意に調整することができる。
【０１５０】
次に、図１１を参照して、第４実施の形態について説明する。第１実施の形態では、膨出部２５が一方側から他方側へ向かうにつれて漸次先細りとなるドーム状に形成されているのに対し、第４実施の形態では、膨出部４２５が一方側から他方側へ向かうにつれて漸次先細りとなる下面視略菱形状に形成されている。なお、上記した各実施の形態と同一の部分については同一の符号を付して、その説明を省略する。
【０１５１】
図１１（ａ）は、第４実施の形態における本体部４２０の下面図であり、（ｂ）は、本体部４２０の部分拡大下面図であり、（ｃ）は、図１１（ｂ）のＸＩｃ−ＸＩｃ線における本体部４２０の断面図であり、（ｄ）は、図１１（ｄ）のＸＩｄ−ＸＩｄ線における本体部４２０の断面図である。なお、図１１（ｃ）及び図１１（ｄ）では、図面を簡素化して説明をわかりやすくするため、膨出部４２５の断面形状を模式的に図示している。
【０１５２】
図１１（ａ）及び図１１（ｂ）に示すように、本体部４２２には、一方側から他方側（図１１（ｂ）上側から下側）へ向かうにつれて漸次先細りとなる膨出部４２５が被覆部４２３に一体的に膨出形成されている。
【０１５３】
膨出部４２５は、その他方側から視て略菱形状に形成されており、一方の対角線の長さが他方の対角線の長さよりも長く設定されている。また、膨出部４２５の他方側に面取り加工が施されているので、膨出部４２５を床面Ｆ（図１参照）に対して安定的に接地させることができる。
【０１５４】
本体部４２２には、８個の膨出部４２５が配設され、被覆部４２３の長手方向（図１１（ａ）左右方向）に沿って等間隔に配設された４個の膨出部４２５が、被覆部４２３の幅方向（図１１（ａ）上下方向）における一端部および他端部における周縁部分にそれぞれ並設され、被覆部４２３の長手方向および幅方向において隣接する膨出部４２５の一方の対角線が異なる方向へ向くように配設されている。
【０１５５】
図１１（ｃ）及び図１１（ｄ）に示すように、膨出部４２５は、一方側から他方側へ向けて直線状に形成されており、膨出部４２５の一方側と他方側とを一方の対角線上に沿って結んだ膨出部４２５と床面Ｆ（図１参照）とがなす角度は、膨出部４２５の一方側と他方側とを他方の対角線上に沿って結んだ膨出部４２５と床面Ｆとがなす角度よりも小さくなっている。
【０１５６】
よって、膨出部４２５の他面側を床面Ｆ（図１参照）に接地させた場合に、一方の対角線に沿った方向の接地領域を、他方の対角線に沿った方向の接地領域よりも広く確保することができる。よって、一方の対角線に沿って荷重が膨出部４２５に付与された場合には、床面Ｆに対する膨出部４２５のグリップ力を向上させることができる。
【０１５７】
また、本体部４２０では、被覆部４２３の長手方向および幅方向において隣接する膨出部４２５が、その一方の対角線が異なる方向へ向くように配設されているので、床面Ｆに対する膨出部４２５の前後左右方向（図１１（ａ）上下方向および左右方向）へのグリップ力を高めることができる。
【０１５８】
膨出部４２５は、その一方側から他方側へ向けて先細りとなっているので、膨出部４２５に対して下方へ付与される荷重が大きくなるほど、床面Ｆと膨出部４２５との接触面積を増加させることができる。
【０１５９】
よって、膨出部４２５に付与される荷重が小さい場合には、その荷重を主に支持する膨出部４２５と床面Ｆとの接地部位の外周部分の周長も短いため、小さな荷重で膨出部４２５を弾性変形させることができる。
【０１６０】
一方、膨出部４２５に付与される荷重が大きくなるにつれて、膨出部４２５と床面Ｆとの接地部位の外周部分の周長が長くなるため、その外周部分を弾性変形させるためには大きな荷重が必要となり、その結果、膨出部４２５が過剰に圧縮されることを回避できる。
【０１６１】
従って、小さな荷重で膨出部４２５を容易に弾性変形させることができるので、小さな荷重に起因して発生する振動および衝撃が床面Ｆへ伝達されることを膨出部４２５によって低減させることができる。また、膨出部４２５に対して大きな荷重が付与された場合には、膨出部４２５が過剰に圧縮されることを回避しやすくして膨出部４２５を適正に圧縮させることができる。
【０１６２】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【０１６３】
例えば、上記各実施の形態では、剛板２１，４１が所定の剛性を有する鉄板から構成される場合について説明したが、必ずしもこれに限られるものではなく、剛板が鉄板とは異なる金属材料、又は、所定の剛性を有する金属材料以外の板状の部材、例えば、木材や樹脂材料等から構成されていてもよい。
【０１６４】
なお、剛板を金属材料から構成することによって、剛板の剛性を確保しつつ、剛板の厚さ寸法を小さく設定できるので、剛板の上に載置されるキックペダル２の床面Ｆからの高さ位置が高くなりすぎることを防止できる。
【０１６５】
上記第１から第３実施の形態では、膨出部２５，４５，２４５，３２５が一方側から他方側へ向けて先細り状となるドーム状に、第４実施の形態では、膨出部４２５が一方側から他方側へ向けて先細り状となる上面視略菱形形状に形成される場合について説明したが、必ずしもこれに限られるものではなく、膨出部が少なくとも一方側から他方側へ向けて先細り状に形成されていればよく、膨出部の形状が他の形状、例えば、上面視多角形状、上面視楕円形状に形成されていてもよい。
【０１６６】
上記各実施の形態では、第１防振台２０，３２０，４２０の複数の膨出部２５，３２５，４２５が、被覆部２３，３２３，４２３の幅方向における一端部および他端部における周縁部分にそれぞれ並設される場合について説明したが、必ずしもこれに限られるものではなく、膨出部２５，３２５，４２５を被覆部２３，３２３，４２３の他の位置、例えば、被覆部２３，３２３，４２３の幅方向における中央部分に配置してもよい。
【０１６７】
上記各実施の形態では、第１防振台２０，３２０，４２０の本体部２２，３２２，４２２が長手方向における中央部分で幅方向に沿って２つに分断される場合について説明したが、必ずしもこれに限られるものではなく、本体部が分断されていなくてもよく、本体部が３つ以上に分断されていてもよい。また、本体部を長手方向に沿って２つ以上に分断してもよい。
【０１６８】
なお、本体部２２，３２２，４２２を２つ以上に分断することによって、分断された各々の本体部２２，３２２，４２２を小型化して扱いやすくすることができる。
【０１６９】
また、本体部２２，３２２，４２２が２つ以上に分断された場合には、剛板２１よりも長手方向または幅方向のいずれか一方における寸法が大きく設定された剛板に対して本体部２０，３２０，４２０を装着することができる。さらに、本体部２２，３２２，４２２が同一方向に沿って３つ以上に分断された場合には、その分断された本体部２２，３２２，４２２の一部を省略することによって、剛板２１よりも長手方向または幅方向のいずれか一方における寸法が小さく設定された剛板に対して本体部２０，３２０，４２０を装着することができる。よって、本体部２２，３２２，４２２の汎用性を向上させることができる。
【０１７０】
上記各実施の形態では、第１防振台２０，３２０，４２０の剛板２１が矩形板状に形成される場合について説明したが、必ずしもこれに限られるものではなく、剛板を他の形状に形成してもよい。例えば、剛板の形状にキックペダル２の基部２ａに近似した上面視略台形状に形成することによって、第１防振台の省スペース化を図ることができる。
【０１７１】
上記第１実施の形態では、第１防振台２０の突出部２８及び第２防振台４０の突出部４８ａ，４８ｂが膨出部２５，４５の他方側から視て同心円状に形成される場合について説明したが、必ずしもこれに限られるものではなく、突出部の形状が同心円状以外の形状、例えば、膨出部２５，４５の他方側から視て放射線状、渦巻き状等に形成されていてもよい。
【０１７２】
上記第３実施の形態では、膨出部３２５の厚さ寸法が一方側から他方側へ向かうについて漸次大きくなる場合について説明したが、必ずしもこれに限られるものではなく、膨出部３２５の厚さ寸法を一方側から他方側へ向かうについて漸次小さくしてもよい。これにより、膨出部の変位特性を任意に設定することができる。
【符号の説明】
【０１７３】
１                                    バスドラム（振動体）
２                                    キックペダル（振動体）
２ａ                                  基部（振動体の一部）
１２                                  支持スタンド（振動体の一部）
１３                                  板スタンド（振動体の一部）
１４，２１４                          棒スタンド（振動体の一部）
２０，３２０，４２０                  第１防振台（防振台）
２１，４１                            剛板
２２，４２，２４２，３２２，４２２    本体部
２３，４３，２４３，３２３，４２３    被覆部
２４                                  立設部
２４ａ                                張出部（立設部の一部）
２５，４５，２４５，３２５，４２５    膨出部
２６                                  溝部
２７                                  連通孔
２８，４８ａ，４８ｂ                  突出部
４３ａ１                              係止部
４３ａ２                              突面部
４４，２４４                          筒状部
４６                                  規制部
２４６                                把持部
４７，２４７                          支持部
Ｆ                                    床面
【図１】
2015087632.tif 000003
【図２】
2015087632.tif 000004
【図３】
2015087632.tif 000005
【図４】
2015087632.tif 000006
【図５】
2015087632.tif 000007
【図６】
2015087632.tif 000008
【図７】
2015087632.tif 000009
【図８】
2015087632.tif 000010
【図９】
2015087632.tif 000011
【図１０】
2015087632.tif 000012
【図１１】
2015087632.tif 000013